(57)【特許請求の範囲】
【請求項１】
前部のヘッド及び後部のテールを有するボディと、
このボディの内部において、前後方向に延在する収容空間と、
この収容空間の前端に装着された保持体と、
上記収容空間に、移動可能に収容された第一可動体と、
この収容空間における上記第一可動体の後方に、移動可能に収容された第二可動体とを備えており、
上記保持体及び第一可動体のうち、いずれか一方が磁石を含み、他方が磁性体からなり、
上記第二可動体が、非磁性体又は第一可動体より磁性の弱い磁性体からなるルアー。
【請求項２】
上記収容空間の後端に、金属製の後方当接体が装着されている請求項１に記載のルアー。
【請求項３】
上記第二可動体の質量が、上記第一可動体の質量より大きい請求項１又は２に記載のルアー。
【請求項４】
上記第二可動体の質量が、上記第一可動体及び上記後方当接体の各質量の、２倍以上８倍以下である請求項２に記載のルアー。
【発明の詳細な説明】
【技術分野】
【０００１】
本発明は、釣りに用いられるルアーに関する。
【背景技術】
【０００２】
近年、ルアーを用いたルアーフィッシングが普及している。ルアーフィッシングによる捕獲対象は、主として小魚を捕食する大型の魚（フィッシュイータ）である。このルアーは、キャストによって空中を飛行し、やがて着水する。ルアーは、ラインが巻かれることによって水中を泳ぐ。フィッシュイータは、このルアーに食いつく。ルアーに取り付けられたフックがフィッシュイータに刺さり、フィッシュイータが釣り上げられる。フィッシュイータの勘違いを誘う水中姿勢及びアクションが達成されるルアーが好ましい。
【０００３】
釣り人はルアーを遠方へキャストしたいと望むことがある。ルアーは、飛行時に空気抵抗を受ける。空気抵抗の小さなルアーは、遠方へキャストされうる。重心位置が適正なルアーは、飛行姿勢が安定して空気抵抗が小さいので好ましい。
【０００４】
また、体内にラトルボールが内蔵されたルアーが知られている。例えば、特開平１０−２４８４４１号公報、特開２００２−２１８８６５号公報、特開２００５−２１０９５１号公報等に開示されたルアーである。これらのルアーでは、そのボディ内部の収容空間（ラトルルームとも呼ばれる）に、一個又は複数個のラトルボールが収容されている。ルアーが、水中でリトリーブされて泳動するとき、ラトルボール同士、又は、ラトルボールと収容空間の内壁面とが衝突し、ラトル音が発生する。このラトル音が、フィッシュイータの興味を引き、フィッシュイータを引き寄せる。
【０００５】
特開２００４−１２１１１５号公報にも、ラトルボールを有したルアーが開示されている。このルアーのボディ内には、前後方向に延びるラトルルームが形成されている。このラトルルームには、３個のラトルボールが収容されている。最も後ろ側に配置されたラトルボールのみが磁性体から形成されている。ラトルルームの前後方向のほぼ中間部に、磁石が設置されている。このルアーは、ラトルボールの動作の利用により、遠方へのキャスト、及び、水中でのバランスのとれた遊泳が可能となる、というものである。すなわち、ルアーのキャスト時には、全ラトルボールがラトルルームの後方（テール）寄りの位置に移動して、飛行姿勢の安定に寄与し、ルアーの水中遊泳時には、全ラトルボールがラトルルームの前方（ヘッド）寄りの位置に拘束されて、遊泳時の姿勢の安定に寄与する、というものである。
【先行技術文献】
【特許文献】
【０００６】
【特許文献１】特開平１０−２４８４４１号公報
【特許文献２】特開２００２−２１８８６５号公報
【特許文献３】特開２００５−２１０９５１号公報
【特許文献４】特開２００４−１２１１１５号公報
【発明の概要】
【発明が解決しようとする課題】
【０００７】
本発明は、かかる現状に鑑みてなされたものであり、飛距離を犠牲にすることなく、フィッシュイータの興味を引くラトル音並びに水中姿勢及びアクションが達成されうるルアーの提供を目的としている。
【課題を解決するための手段】
【０００８】
本発明に係るルアーは、
前部のヘッド及び後部のテールを有するボディと、
このボディの内部において、前後方向に延在する収容空間と、
この収容空間の前端に装着された保持体と、
上記収容空間に、移動可能に収容された第一可動体と、
この収容空間における上記第一可動体の後方に、移動可能に収容された第二可動体とを備えており、
上記保持体及び第一可動体のうち、いずれか一方が磁石を含み、他方が磁性体からなり、
上記第二可動体が、非磁性体又は第一可動体より磁性の弱い磁性体からなる。
【０００９】
好ましくは、上記収容空間の後端に、金属製の後方当接体が装着されている。
【００１０】
好ましくは、上記第二可動体の質量が、上記第一可動体の質量より大きい。
【００１１】
好ましくは、上記第二可動体の質量が、上記第一可動体及び上記後方当接体の各質量の、２倍以上８倍以下である。
【発明の効果】
【００１２】
本発明に係るルアーでは、飛距離を犠牲にすることなく、フィッシュイータの興味を引くラトル音並びに水中姿勢及びアクションが達成されうる
【図面の簡単な説明】
【００１３】
【図１】図１は、本発明の一実施形態に係るルアーの側面図である。
【図２】図２は、図１のルアーの縦断面図である。
【図３】図３は、図１のＩＩＩ−ＩＩＩ線に沿った横断面図である。
【図４】図４は、図２における前方当接体及びラトルボールが収容空間の後端に移動した状態を示すルアーの縦断面図である。
【図５】図５は、図２のルアーがキャストされたときの状態を時系列に示す正面図である。
【発明を実施するための形態】
【００１４】
以下、適宜図面が参照されつつ、実施形態に基づいて本発明が詳細に説明される。
【００１５】
図１に示されたルアー２は、ボディ４、ラインアイ６、フックアイ８を備えている。各フックアイ８にはフック３０が取り付けられる。ラインアイ６にはライン３２が接続される。ボディ４は、ベイトである小魚に類似した外形を有する。ボディ４は、前部のヘッド１０及び後部のテール１２を備えている。図中の左側がヘッド１０側（前方）であり、右側がテール１２側（後方）であり、上側が背１４側であり、下側が腹１６側である。
【００１６】
ボディ４は、ヘッド１０側であって且つ腹１６側に、リップを備えてもよい。典型的には、ボディ４は合成樹脂から形成されている。好ましい合成樹脂はＡＢＳ樹脂である。ボディ４は、金属材料又は木質材料から形成されてもよい。ラインアイ６及びフックアイ８は、金属線が曲げられることによって形成されている。金属線の典型的な材質はステンレス鋼である。
【００１７】
図２から図４に示されるように、ボディ４は中空である。典型的には、このボディ４は、対称形の左ボディピース４Ｌと右ボディピース４Ｒとが重ね合わされた状態で接合されることにより構成される（図３）。
【００１８】
このボディ４の内部に、前後方向に延在する収容空間２０が形成されている。この収容空間２０には、前後方向に移動可能に収容された第一可動体２２及び第二可動体２４が収容されている。第一可動体２２及び第二可動体２４の各比重は、いずれもボディ４の比重より大きい。第二可動体２４は、主として、他部材と衝突することによって魚の興味を引くラトル音を発生する作用を奏する。また、本実施形態における第二可動体２４は、球形を呈している。従って、ここでは、第二可動体２４をラトルボール２４と呼ぶ。本実施形態の場合、ラトルボール２４は、前方の第一可動体２２、及び、後述する後方の後方当接体２８と衝突しうる。ラトルボール２４は、一個には限定されず、複数個備えられてもよい。第一可動体２２は、ラトルボール２４と衝突することによってラトル音を発生する他、ルアー２の重心位置を調節する作用を奏する。第一可動体２２は、金属から形成されるのが好ましい。ここでは、この第一可動体２２を前方当接体２２と呼ぶ。
【００１９】
ラトルボール２４は、大きいラトル音を発生させるために、金属から形成されるのが好ましい。前方当接体２２及びラトルボール２４ともに、球形を呈している。前方当接体２２もラトルボール２４も、球形には限定されず、中心軸が前後方向に向いた円柱形等を呈していてもよい。しかし、特にラトルボール２４は、収容空間２０内を動きやすい形状であるのが好ましい。ラトルボール２４の形状は球形が好ましい。
【００２０】
この収容空間２０において、前方当接体２２が前方に位置し、ラトルボール２４が後方に位置している。この収容空間２０の横断面は、ラトルボール２４の中心を通る断面より僅かに大きいだけであるため、前方当接体２２とラトルボール２４との前後位置が入れ替わることはない。
【００２１】
収容空間２０の前端には、保持体２６が不動の状態で装着されている。保持体２６は、ボディ４の内面に突設された枠体４０によって拘束されている。保持体２６は、前方当接体２２を保持することができるが、ラトルボール２４を保持することはできない。保持体２６及び前方当接体２２のうち、いずれか一方が磁石を含み、他方が磁性体からなる。この前方当接体２２は、磁石の作用によって保持体２６に吸着される（磁着と呼ぶ）。前方当接体２２は、保持体２６に保持される。その結果、ルアー２の重量バランスが安定しうる。ラトルボール２４は、前方当接体２２が磁石の場合は、非磁性体からなる。ラトルボール２４は、保持体２６が磁石で前方当接体２２が磁性体の場合は、前方当接体２２より磁性の弱い磁性体からなるのが好ましい。ラトルボール２４が拘束されることを回避するためである。
【００２２】
図２は、前方当接体２２が保持体２６に保持され、ラトルボール２４は何物にも拘束されていない状態を示している。ルアー２は、大きな外力が加えられていないときには、図２に示す状態にある。ルアー２に作用する外力が小さい場合、前方当接体２２が保持体２６に保持され、ラトルボール２４は前後に移動しうる。前後移動するラトルボール２４は、前方に保持されている前方当接体２２と、後方に固定されている後述の後方当接体２８とに自在に衝突してラトル音を発生させる。
【００２３】
上記磁性体としては、例えば、フェライト系ステンレス鋼、マルテンサイト系ステンレス鋼、鉄鋼等が採用されうる。ラトルボール２４には、例えば、黄銅、アルミニウム合金、オーステナイト系ステンレス鋼、タングステン等が用いられうる。保持体２６の形状は限定されない。保持体２６は、板状、柱状等であってもよい。
【００２４】
この収容空間２０の後端には、後方当接体２８が不動の状態で装着されている。後方当接体２８は、ボディ４の内面に突設された突起部４２によって拘束されている。後方当接体２８は、ラトルボール２４が収容空間２０の後端に衝突したときに、大きいラトル音を発生させるために設けられている。この目的のために、後方当接体２８は金属から形成されている。上記前方当接体２２が磁石からなる場合は、後方当接体２８は、非磁性体の金属から形成されるのが好ましい。前方当接体２２が、ラトルボール２４を介して、後方当接体２８によって保持されることを回避するためである。後方当接体２８は、収容空間２０の後端に固定されるものであるため、その形状は限定されない。球状、柱状、板状等であってもよい。さらに、後方当接体２８の材料の選択、体積の変更により、その質量を調整して、ルアー２の重心位置の調整を行いうる。保持体２６と後方当接体２８とは、前方当接体２２及びラトルボール２４の前後方向移動のストッパとしての役目も担っている。保持体２６、前方当接体２２、ラトルボール２４及び後方当接体２８は、ボディ４を左ボディピース４Ｌと右ボディピース４Ｒとに分割することにより、取り外すことができる。
【００２５】
ラトルボール２４の質量は、前方当接体２２の質量より大きいのが好ましい。ラトルボール２４の質量は、後方当接体２８の質量より大きいのが好ましい。ラトルボール２４の質量を大きくする目的は、大きいラトル音を発生させるためである。ラトルボール２４は、前後に移動してその両側の物体２２、２８に衝突してラトル音を発生する。このように、他の物体２２、２８に比べてラトル音を発生させる回数の多い物体２４の質量を増大させたのである。かかる観点から、ラトルボール２４の質量は、前方当接体２２及び後方当接体２８の各質量の、２倍以上８倍以下であるのが好ましい。上記質量の倍数が８倍を超えると、ルアー重心位置の変動が大きすぎるので好ましくない。
【００２６】
図２及び図３に示されるように、収容空間２０は、左右のボディピース４Ｌ、４Ｒの底部３４Ｌ、３４Ｒ、及び、左右のボディピース４Ｌ、４Ｒの内面に突設されたリブ３６Ｌ、３６Ｒ、３８Ｌ、３８Ｒによって仕切られている。ボディピースの底部３４Ｌ、３４Ｒが、収容空間２０の底面に相当する。下側のリブ３６Ｌ、３６Ｒの先端縁が、収容空間２０の側面に相当する。上側のリブ３８Ｌ、３８Ｒが、収容空間２０の天井に相当する。
【００２７】
収容空間は、上記構成には限定されない。円筒状の内周面によって仕切られた収容空間であってもよい。また、収容空間を仕切る部材が無くてもよい。例えば、ボディ４の内部に、前後方向にガイドワイヤが張り渡されたものであってもよい。この場合、前方当接体及びラトルボールには、貫通孔が形成される。この貫通孔にガイドワイヤが挿通される。前方当接体及びラトルボールは、ガイドワイヤに沿って前後移動可能にされる。この場合、収容空間とは、前方当接体及びラトルボールが通過する範囲の空間を言うことになる。
【００２８】
ルアー２がキャストされることにより、前方当接体２２には、後方に向けた大きな慣性力が働く。この慣性力により、前方当接体２２は、保持体２６の磁着力から解放され、後方に移動する。ラトルボール２４も、慣性力によって後方に移動する。図４には、ラトルボール２４が後方当接体２８に当接し、このラトルボール２４に前方当接体２２が押圧された状態が示されている。大きな慣性力が働いている間は、前方当接体２２とラトルボール２４とが、収容空間２０の後端に位置している。この状態では、ルアー２の重心が最も後方の位置にある。
【００２９】
図５には、その（１）から（４）にかけて、上記ルアー２のキャスティング状態が概略的且つ時系列に示されている。符号４４は竿を示す。（１）はキャスティングの開始を示し、（２）はルアー２がライン３２によってドライブされている状態を示し、（３）はルアー２がライン３２によるドライブから解放されて滑空している状態を示し、（４）はルアー２が着水した後の状態を示している。
【００３０】
キャストされることにより、ボディ４は飛行を開始する。このとき、前方当接体２２は慣性によって瞬時に保持体２６から離脱し、ラトルボール２４とともに、テール１２側に移動する（図４の（１）、（２）、（３））。ルアー２はテール１２を先頭にして飛行する。
【００３１】
ルアー２の滑空時には、前方当接体２２が、先頭のテール１２から後方のヘッド１０に向けて移動しつつある。このように、ルアー２の重心が先頭（テール１２）よりややヘッド１０側にあれば、ルアー２に迎角が生じて揚力が発生する。その結果、ルアー２は、テール１２を下げた姿勢（弾道曲線にほぼ平行な姿勢）では落下しないので、ルアー２の滑空距離が伸びることが期待できる。
【００３２】
着水後には、前方当接体２２は収容空間２０内の前方位置に至っている。前方当接体２２は、保持体２６によって拘束される（図４の（４））。ラトルボール２４は、既に、前後移動が可能な状態になっている。ライン３２の引き操作により、ルアー２に対し、フィッシュイータにアピールしうる良好な姿勢及びアクションをとらせることができ、効果的なラトル音を発生させることができる。
【産業上の利用可能性】
【００３３】
本発明に係るルアーは、湖沼、池、ダム、川、海等の種々のフィールドでの釣りに適している。
【符号の説明】
【００３４】
２・・・ルアー
４・・・ボディ
６・・・ラインアイ
８・・・フックアイ
１０・・・ヘッド
１２・・・テール
１４・・・背
１６・・・腹
２０・・・収容空間
２２・・・前方当接体（第一可動体）
２４・・・ラトルボール（第二可動体）
２６・・・保持体
２８・・・後方当接体
３０・・・フック
３２・・・ライン
３４Ｌ、３４Ｒ・・・（ボディの）底部
３６Ｌ、３６Ｒ、３８Ｌ、３８Ｒ・・・リブ
【図１】
0006521808.tif 000002
【図２】
0006521808.tif 000003
【図３】
0006521808.tif 000004
【図４】
0006521808.tif 000005
【図５】
0006521808.tif 000006